(57)【要約】  本発明は、薬物粉塵の蓄積が減少する、薬物部分のためのブリスター包装機用の貯蔵・分配ステーションに関する。ブリスター包装機用の、本発明による貯蔵・分配ステーションは、基部（１００）と、少なくとも１つの接触手段（１２４）であって、少なくとも１つの接触手段（１２４）によって貯蔵・分配ステーションをブリスター包装機に電気的に結合することができ、少なくとも１つの接触手段（１２４）によって電荷をブリスター包装機に散逸させることができる少なくとも１つの接触手段（１２４）と、基部（１００）上に配置された貯蔵容器（２００）であって、薬物部分のための収容室（２０２）を取り囲むハウジング（２１０）であって、円筒形の収容室（２１１）、底面（２２０）を有するハウジング（２１０）、およびハウジング（２１０）の円筒形の収容室（２１１）内に回転可能に配置された個別化装置（２３０）を有する貯蔵容器（２００）と、個別化装置（２３０）を動作させるための駆動部（１１０、１１１、１１２）とを備える。本発明によれば、個別化装置（２３０）が、少なくとも個別化される薬物部分と接触するその外面（２３１）について導電性であり、導体装置が設けられ、導体装置によって、個別化装置（２３０）の導電性の外面（２３１）が、接触手段（１２４）に導電的に結合されることが実現される。
2020507363.tif 000002
【特許請求の範囲】
【請求項１】
薬物部分のためのブリスター包装機用の貯蔵・分配ステーションであって、
基部（１００）と、
少なくとも１つの接触手段（１２４）であって、前記少なくとも１つの接触手段（１２４）によって前記貯蔵・分配ステーションを前記ブリスター包装機に電気的に結合することができ、前記少なくとも１つの接触手段（１２４）によって電荷を前記ブリスター包装機に散逸させることができる少なくとも１つの接触手段（１２４）と、
前記基部（１００）上に配置された貯蔵容器（２００）であって、
前記薬物部分のための収容室（２０２）を取り囲むハウジング（２１０）であって、円筒形の収容室（２１１）および底面（２２０）を有するハウジング（２１０）、
前記ハウジング（２１０）の前記円筒形の収容室（２１１）内に回転可能に配置された個別化装置（２３０）であって、前記個別化装置（２３０）を通って軸方向に延在する複数の通路（２３５）および結合手段（２４０）を備える個別化装置（２３０）
を有する貯蔵容器（２００）と、
前記個別化装置（２３０）を動作させるための駆動部（１１０、１１１、１１２）と
を有する、薬物部分のためのブリスター包装機用の貯蔵・分配ステーションにおいて、
前記個別化装置（２３０）が、少なくとも個別化される薬物部分と接触するその外面（２３１）について導電性であり、
導体装置が設けられており、前記導体装置によって、前記個別化装置（２３０）の前記導電性の外面（２３１）が、前記接触手段（１２４）に導電的に結合されていることを特徴とする、薬物部分のためのブリスター包装機用の貯蔵・分配ステーション。
【請求項２】
前記接触手段（１２４）が、少なくとも部分的に、前記駆動部のモータ（１１２）に結合された接地線によって設けられている
ことを特徴とする、
請求項１に記載の、薬物部分のためのブリスター包装機用の貯蔵・分配ステーション。
【請求項３】
前記個別化装置（２３０）の前記導電性の外面（２３１）が、平坦な導電性コーティングとして形成されている
ことを特徴とする、
請求項１または２に記載の、薬物部分のためのブリスター包装機用の貯蔵・分配ステーション。
【請求項４】
前記個別化装置（２３０）が、少なくともその前記導電性の外面（２３１）について、導電性材料、好ましくは導電性プラスチックで作られている
ことを特徴とする、
請求項１から３のいずれか一項に記載の、薬物部分のためのブリスター包装機用の貯蔵・分配ステーション。
【請求項５】
前記導体装置が、前記底面（２２０）、および／または前記円筒形の収容室（２１１）を形成するハウジング部（２１７）に配置されたスリップリング（２２２、２１５）と、前記個別化装置（２３０）に配置された接触要素（２３６、２３７）とを備える
ことを特徴とする、
請求項１から４のいずれか一項に記載の、薬物部分のためのブリスター包装機用の貯蔵・分配ステーション。
【請求項６】
前記導体装置が、導電性の駆動ハブ（１１０）と、導電性の駆動シャフト（１１１）と、モータ（１１２）と、導電性の結合手段（２４０）とを備え、前記個別化装置（２３０）の前記導電性の外面が、前記結合手段（２４０）に導電的に結合されており、前記モータ（１１２）が、前記接触手段（１２２）に導電的に結合されている
ことを特徴とする、
請求項１から４のいずれか一項に記載の、薬物部分のためのブリスター包装機用の貯蔵・分配ステーション。
【請求項７】
薬物部分と接触する、前記底面（２２０）および／または前記ハウジング（２１０）の表面が、導電性であり、前記接触手段（１２４）に電気的に結合されている
ことを特徴とする、
請求項５に記載の、薬物部分のためのブリスター包装機用の貯蔵・分配ステーション。
【発明の詳細な説明】
【技術分野】
【０００１】
本発明は、薬物部分のためのブリスター包装機用の貯蔵・分配ステーションに関する。
【背景技術】
【０００２】
国際公開第２０１３／０３４５０４号パンフレットに開示されているものなどの最新のブリスター包装機は、ブリスター包装機の膨張段（ｅｘｐａｎｓｉｏｎ  ｓｔａｇｅ）に応じて数百の貯蔵・分配ステーションを備える。いずれの場合も、特定の薬物の複数の薬物部分が、その中に貯蔵され、個々の薬物部分を、必要に応じて分配することができる。ブリスター包装機では、貯蔵・分配ステーションに貯蔵された薬物部分は、医学的に処方された摂取時間に従って個々の患者ベースでまとめられ、ブリスター包装される。
【０００３】
複数の薬物部分をまとめるために、１つ以上の薬物部分を分配するための適切な貯蔵・分配ステーションが、ブリスター包装機の制御装置によって作動される。薬物部分を分配するために、貯蔵容器に貯蔵されている薬物部分は、貯蔵・分配ステーションの個別化装置（ｓｉｎｇｕｌａｔｉｎｇ  ｄｅｖｉｃｅ）によって分離され、分配開口部を介してブリスター包装機の案内装置に移送される。案内装置によって、分配された薬物部分は、必要ならば収集装置を介在させて、個々のまたはいくつかの薬物部分をブリスター包装する包装装置に供給される。
【０００４】
貯蔵容器の一部に配置される個別化装置は、通常、個別化装置を通って軸方向に延在する複数の通路を有するロータの形態で設計される。個別化装置の上方には、個別化される薬物部分のための収容室がある。
【０００５】
薬物部分を分離するために、個別化装置は駆動部によって回転させられる。個別化装置の回転は、貯蔵容器に貯蔵されている薬物部分の少なくとも一部を同時に回転させるため、分離プロセス中にそれらは、互いに接触し、また個別化装置および貯蔵容器の内壁とも接触する。そうすることで、薬物部分の微小な剥離が起こり、その結果、一種の薬物粉塵が、個別化装置上および貯蔵容器の壁上に堆積することになる。
【０００６】
貯蔵容器内の薬物粉塵の蓄積は、これにより貯蔵容器の清掃がより困難になるため望ましくない。さらに、薬物粉塵がブリスター包装機の他の構成要素に運ばれ、場合によっては他の種類の薬物部分と共にブリスター包装される危険性があり、これは、例えば敏感な患者の場合にアレルギー反応を引き起こす可能性がある。
【先行技術文献】
【特許文献】
【０００７】
【特許文献１】国際公開第２０１３／０３４５０４号パンフレット
【発明の概要】
【発明が解決しようとする課題】
【０００８】
したがって、本発明の目的は、薬物粉塵の蓄積が減少する、ブリスター包装機用の貯蔵・分配ステーションを提供することである。
【課題を解決するための手段】
【０００９】
本発明によれば、この目的は、請求項１に記載の貯蔵・分配ステーションによって達成される。ブリスター包装機用の、本発明による貯蔵・分配ステーションは、基部であって、基部によって貯蔵・分配ステーションがブリスター包装機に通常は固定されている基部と、少なくとも１つの接触手段であって、少なくとも１つの接触手段によって貯蔵・分配ステーションをブリスター包装機に電気的に結合することができ、少なくとも１つの接触手段によって電荷をブリスター包装機に散逸させることができる少なくとも１つの接触手段と、基部上に配置された貯蔵容器であって、貯蔵容器が、薬物部分のための収容室を取り囲むハウジングであって、円筒形の収容室、底面を有するハウジング、ならびに個別化装置を通って軸方向に延在する複数の通路および結合手段を備える、円筒形の収容室内に回転可能に配置された個別化装置を有する貯蔵容器と、個別化装置を動作させるための駆動部とを備える。
【００１０】
本発明によれば、個別化装置が、少なくとも個別化される薬物部分と接触する外面について導電性であり、導体装置が設けられ、導体装置によって、個別化装置の導電性の外面が、接触手段に導電的に結合されることが実現される。
【００１１】
したがって、本発明によれば、個別化装置の導電性の外面と接触手段との間には常に電気的接続が存在し、それによって電荷をブリスター包装機に移動させることができる。
【００１２】
既に上述したように、個別化装置の回転は、薬物部分の分離または個別化中に、貯蔵容器に貯蔵されている薬物部分の少なくとも一部を同時に回転させる。これにより、薬物部分同士の摩擦ならびに薬物部分と個別化装置および貯蔵容器の内壁との摩擦が生じる。上記の摩擦は、特に個別化装置の静電帯電を生じさせるのに十分であることが立証されている。
【００１３】
本発明による個別化装置の設計および本発明による導体装置の用意の結果として、個別化装置に対して基準電位を形成するまたは有するブリスター包装機に接触手段を介して個別化装置の静電荷を散逸させることができる。個別化装置の静電荷が減少すると、個別化中に発生する薬物粉塵がもはやそれに付着しなくなるか、またはより少ない程度しかそれに付着しなくなる。これにより、個別化装置の清掃が簡単になり、薬物粉塵の堆積または破砕した堆積物が貯蔵・分配ステーションからブリスター包装機の他の部分に運ばれることが防止される。
【００１４】
さらに、上記の静電荷により、薬物部分が、貯蔵・分配ステーションの静電的に帯電した構成要素によって引き付けられ、これらの構成要素に沿ってもはや自由に滑動しなくなるまたは滑り落ちなくなることが確かに立証されている。特により小さい薬物部分の場合、これにより、もはや通路に薬物部分が確実には充填されなくなる。静電荷を放電することにより、構成要素への薬物部分の引き付けが防止され、薬物部分は通路内に自由に滑り落ちることができる。
【００１５】
個別化装置は、ハウジングの円筒形の収容室内に配置される。収容室および個別化装置の正確な設計に応じて、これを収容室内に完全に収容することができるが、個別化装置の上部が円筒形の収容室から突出することが可能である。
【００１６】
貯蔵・分配ステーションは、接触手段によって、すなわち電荷をブリスター包装機に散逸させることができるように、ブリスター包装機に電気的に結合される。分配・貯蔵ステーションが（接触手段を介して）ブリスター包装機に結合されると、これにより個別化装置は接地される。
【００１７】
接触手段の正確な設計およびどの程度正確に電荷が散逸されるかは、貯蔵・分配ステーションの関連する構成要素の正確な設計に関係する。したがって、接触手段は、基部または貯蔵容器に配置することができ、共通の構成要素としてまたは別個の接続可能な構成要素として設計することができる。
【００１８】
上記の国際公開公報によるブリスター包装機と共に通常は使用される貯蔵・分配ステーションでは、基部および貯蔵容器は、別々ではあるが結合可能な構成要素として設計され、貯蔵容器は、基部上に押し付けることができる。薬物部分を補充するために、または貯蔵容器の構成要素を清掃するために、これを、基部から簡単に取り外し、その後に清掃するおよび／または補充したときに再装着することができる。
【００１９】
基部は、ブリスター包装機に取り外し可能に接続され、ブリスター包装機と基部との電気的接触、例えば、駆動部用の電力の供給部および／または貯蔵・分配ステーションの制御ユニット用のケーブルは、プラグインコネクタとして設計することができる。
【００２０】
さらなる構成要素を回避するために、本発明による貯蔵・分配ステーションの好ましい実施形態では、接触手段は、少なくとも部分的に、駆動部のモータに結合されているかまたはそのようなものとして形成されている接地線によって設けられることが実現される。この実施形態では、いずれの場合も存在する構成要素または構成要素の群、すなわち駆動部のモータの接地が、電荷を散逸させるためにも使用される。したがって、例えば、安定した支持プレート上にモータを取り付けることが一般的である。本発明によれば、これは、少なくとも部分的に導電するように設計され、モータからの電荷を散逸させることができる接地線を備える。
【００２１】
本発明によれば、個別化装置は、少なくとも個別化される薬物部分と接触する外面について導電性である。個別化装置の費用対効果の高い実施形態では、個別化装置の導電性の外面は、平坦な導電性コーティングとして形成される。この場合、費用対効果の高い非導電性材料を支持材料として使用することができ、結果的に導体装置によって接触手段に導電的に結合されるより費用がかかる導電性コーティングは、個別化される薬物部分と接触する領域にのみ設けることができる。
【００２２】
上記の実施形態では、導電性コーティングは、基体に塗布されるべきである。代替の実施形態では、個別化装置は、少なくともその導電性の外面について、導電性材料、好ましくは導電性プラスチックで作られることが実現される。このとき、この導電領域は、同様に接触手段に結合される。材料および製造の費用に応じて、個別化装置が完全に導電性材料からなることが好適なこともあり得る。
【００２３】
本発明では、静電荷を散逸させることができるようにするために、導体装置を設ける必要があり、導体装置によって個別化装置の導電性の外面が、接触手段に導電的に結合され、接触手段によって電荷はブリスター包装機に散逸される。構造的に非常に単純な実施形態では、上記の導体装置は、底面、および／または円筒形の収容室を形成するハウジング部に配置されるスリップリングと、個別化装置に配置される接触要素とを備える。接触要素によって、個別化装置とスリップリングとの電気的接続が行われ、スリップリングが次に接触手段に導電的に結合される。接触要素は、例えば一時的にまたは恒久的にスリップリングに当接する一種のバネ接点とすることができる。スリップリング自体は何の中断もなく形成することができるが、スリップリングは、接触要素と一時的にしか接触しない異なるセグメントによって形成することも可能である。そのとき、これらのセグメントは、相互に接続することができるし、必要ならば節点を介在させて接触手段に個々に結合することができる。
【００２４】
上記の実施形態は、構造的に単純であるが、さらなる構成要素の用意または使用を必要とする。好ましい実施形態では、導体装置は、導電性の駆動ハブと、導電性の駆動シャフトと、モータと、導電性の結合手段とを備え、個別化装置の導電性の外面は、結合手段に導電的に結合され、モータは、接触手段に結合される。この実施形態では、既存の構成要素が、これによって個別化装置の電荷を散逸させることができるように導電するよう設計される。
【００２５】
貯蔵・分配ステーションの駆動モータは、通常は、ケーブルによってブリスター包装機の中央電源に結合される。さらに、モータは、接触手段によってブリスター包装機に接続され、この接触手段は、モータが確実に接地されるようにする。このようにして、結合手段、駆動ハブ、そして最終的に駆動シャフトによってモータに移動させられる電荷は、ブリスター包装機に散逸させることができる。
【００２６】
個別化装置の静電荷のために、薬物粉塵が、主に前記個別化装置にまたはその上に堆積する。既に上述したように、静電荷はまた、個別化装置への薬物部分の一定の付着をもたらし、したがって薬物部分が通路に入ることをより困難にする。しかしながら、個別化プロセスから生じる摩擦のために、貯蔵・分配ステーションの他の構成要素も静電的に帯電するので、好ましい実施形態では、底面、ハウジングの円筒部、および／または薬物部分と接触するハウジングの他の部分の表面を、導電性にし、接触手段に電気的に結合することが実現される。この場合も、上記の構成要素または構成要素部分に導電性コーティングを施すこと、またはこれらを完全に導電性材料から作ることが同様に可能である。電荷を最終的にブリスター包装機に散逸させる接触手段への結合は、当業者に知られている任意の手段によってもたらすことができる。
【００２７】
本発明による貯蔵・分配ステーションの好ましい実施形態は、図面を参照して以下により詳細に説明される。
【図面の簡単な説明】
【００２８】
【図１ａ】別々の基部および貯蔵容器を有する、本発明による貯蔵・分配ステーションの第１の実施形態を示す。
【図１ｂ】別々の基部および貯蔵容器を有する、本発明による貯蔵・分配ステーションの第１の実施形態を示す。
【図２】第１の実施形態による貯蔵容器の斜視図を示す。
【図３】第１の実施形態による貯蔵容器の断面図を示す。
【図４】貯蔵容器内部の個別化装置の詳細図を示す。
【図５】第１の実施形態による基部に取り付けられた貯蔵容器のさらなる断面図を示す。
【図６】本発明による貯蔵・分配ステーションの第１の実施形態の断面図を示す。
【図７】第２の実施形態における貯蔵装置／駆動部の移行部の分解図を示す。
【図８】貯蔵・分配ステーションの第２の実施形態の断面図を示す。
【発明を実施するための形態】
【００２９】
図１ａおよび図１ｂは、本発明による貯蔵・分配ステーションの第１の実施形態の斜視図を示す。第１の実施形態では、貯蔵・分配ステーションは、基部１００と、第１の実施形態では別個の構成要素として設計されている貯蔵容器２００とを備える。
【００３０】
図示の実施形態では、基部１００は、５つの基部１００の組み合わせの一部である。代替の実施形態では、複数の基部を、互いに別々に実現することができる。基部１００の以下の説明で言及される構成要素は、これらが（図１ａおよび図１ｂのように）組み合わせとして実現されるか別々に実現されるかにかかわらず、いずれの場合も各基部１００に存在する。
【００３１】
第１の実施形態による各基部１００は、下部１３０と上部１２０とを備える。上部１２０は、突出部１２１を含み、突出部１２１上に貯蔵容器２００を押し付けることができる。この目的のために、貯蔵容器２００のハウジング下部は、突出部１２１の幾何学的形状に適合される。
【００３２】
上部１２０および下部１３０のハウジング部によって形成された、図１ｂに示されている基部１００の面について、これは、ブリスター包装機（図示せず）に固定される。上記の面には、シュート１４０が形成されており、シュート１４０によって分離された薬物部分は、貯蔵・分配ステーションからブリスター包装機内の案内装置に移送される。シュート１４０は、突出部１２１まで基部１００を貫通しており、突出部１２１には、薬物部分を受け入れるための開口部１２３が形成されている。
【００３３】
基部１００の上記の面には、接触手段１２４が設けられており、接触手段１２４によって貯蔵・分配ステーションをブリスター包装機に電気的に結合することができ、接触手段１２４によって電荷をブリスター包装機に散逸させることができる。図示の実施形態では、接触手段１２４は、基部１００の上部の面部に配置されている。代替の実施形態では、接触手段１２４は、下部１３０の面部に配置することもできる。あるいは、接触手段は、例えばプラグまたは同様のものとして設計することができる。さらに、貯蔵容器の適切な設計により、その中に接触手段を配置することが可能である。重要なことは、電荷を接触手段を介してブリスター包装機（図示せず）に散逸させることができることである。
【００３４】
図１ａおよび図１ｂに示す実施形態では、突出部に接触要素１２２が配置されており、接触要素１２２は、一方では接触手段１２４に、他方では個別化装置（ここでは図示せず）の導電性の外面に電気的に結合される。図示の実施形態では、接触要素は、導体装置の一部である。
【００３５】
接触要素の使用は、第１の実施形態の導体装置の正確な設計によって必要とされる。あるいは、導体装置は、別個の構成要素として形成される接触要素の使用が不要となるように設けることもできる（以下に記載される実施形態を参照）。いずれの位置も図示の位置に限定されるものではなく、接触要素は、突出部の外側に形成することもできる。
【００３６】
図２は、本発明による貯蔵・分配ステーションの第１の実施形態による貯蔵容器の斜視図を示す。図１ａおよび図１ｂを参照して既に述べたように、第１の実施形態では、基部１００および貯蔵容器２００は、貯蔵・分配ステーションの別々の構成要素として設計されている。貯蔵容器２００は、円筒形の収容室２１１（図３に示す）を取り囲む部分２１７（収容室部分）を有するハウジング２１０と、下部２１２と、ハンドル要素２１４とを備える。さらに、貯蔵容器２００は、カバー２１３を備え、カバー２１３は、数ある中でも薬物部分を補充するために取り外すことができる。
【００３７】
図３は、第１の実施形態による貯蔵容器の断面図を示す。この断面図を参照すると、ハウジング２１０の収容部２１７の収容室２１１内の個別化装置２３０の配置を見ることができる。個別化装置２３０は、複数の突出部２３４と、個別化装置２３０を通って軸方向に延在する通路２３５とを有する一種のロータとして形成されている。図示の実施形態では、通路２３５は、通路が個別化装置の外周に向かって開くように、個別化装置２３０の中央構成要素上の突出部２３４によって画定されている。
【００３８】
個別化装置２３０は、中央の円錐形のカバー面２３２を備え、中央の円錐形のカバー面２３２は、ハウジング２１０と共に、薬物部分用の収容室２０２を画定している。カバー面の円錐形設計の結果として、その上に載る薬物部分は、通路２３５に向かって滑り落ちる。
【００３９】
図示の実施形態では、円錐形のカバー面２３２と突出部２３４との間には段部が形成されており、これにより、通路および突出部より上の領域には一種の環状室が形成されている。対応する環状室は、特定の形態を有する薬物部分の場合には、通路内への薬物部分の供給を容易にすることができる。
【００４０】
図３の「左」側に見られるように、底面２２０は、分配開口部２２１を有し、分配開口部２２１によって、分離した薬物部分が、基部１００の突出部１２１の開口部１２３を通してシュート１４０に供給される（図１ａ参照）。
【００４１】
図３の「左」側にさらに見られるように、保持手段２１５の保持部２１６が、環状室内の、分配開口部２２１の上方に導入されている。加えて、ハウジング２１０の円筒部２１１には開口部が設けられている。保持手段、特に保持部の機能は、通路２３５が分配開口部２２１と位置合わせされたときに収容室２０２内で分配開口部の上方に配置された薬物部分を保持することである。
【００４２】
薬物部分の分離および分配は、規定数の薬物部分を含む通路が分配開口部２２１上に移動され、その結果、規定数の薬物部分が位置合わせされた通路から分配され得るように行われる。保持部２１６は、上に重なる薬物部分が同様に分配されることを防止し、これにより、通路内に配置された数の薬物部分のみが常に確実に分配されるようにする。
【００４３】
図３に見られるように、個別化装置２３０は、結合手段２４０をさらに備え、結合手段２４０によって個別化装置２３０は、駆動部に結合することができ、駆動部によって、薬物部分を分離するために個別化装置を回転させることができる。図示の実施形態では、結合手段は、別個の構成要素として設計されているが、あるいは、結合手段が個別化装置２３０の一体の構成要素であることも実現され得る。
【００４４】
本発明によれば、個別化装置は、少なくとも個別化される薬物部分と接触するその外面について導電性である。第１の実施形態では、個別化装置が平坦な導電性コーティング２３１を有することが実現される。
【００４５】
本発明によれば、個別化装置から接触手段２１４（図１ｂ参照）に電荷をそらすために導体装置が設けられ、導体装置によって電荷はブリスター包装機に散逸される。第１の実施形態では、導体装置は、個別化装置２３０に配置された接触要素２３６、２３７を備える。
【００４６】
図３に示す実施形態では、個別化装置２３０は、収容室２１１内にほぼ完全に収容されている。突出部２３４は、収容室２１１の開口部より下で終わっており、これにより、それらより上には一種の環状室がもたらされている。しかしながら、代替の実施形態では、収容室（または個別化装置）は、突出部が収容室の上部開口部より上に突出するように設計することもできる。突出部および通路が図３のように設計されている限り、すなわち、通路が個別化装置の外周に向かって開いている限り、そのような実施形態では、薬物部分は（さらに）横から通路に入ることができる。収容室および個別化装置の正確な設計は、個別化される薬物部分に依存する。
【００４７】
接触要素の配置の２つの変種が図４に示されている。接触要素は、一方については突出部２３４の外側領域に配置されており、もう一方については突出部２３４の底面に配置されている。底面２２０および／または収容部２１７に配置されたスリップリング２２２、２１５への電気的結合は、接触要素によって行われる。底面２２０および収容部２１７における上記のスリップリングの配置は、図５および図６に示されている。
【００４８】
図５は、第１の実施形態による基部に取り付けられた貯蔵容器のさらなる断面図を示す。図６は、第１の実施形態による完全な貯蔵・分配ステーションの断面図を示す。
【００４９】
図５および図６は、特に、別々の構成要素として設計された、基部１００と貯蔵容器２００との結合を示す。貯蔵容器２００は、その下部２１２で基部１００の突出部１２１上に押し付けられ、この目的のために下部２１２は適切に適合されている。
【００５０】
図６は、個別化装置２３０と、基部内に配置された駆動部との結合をさらに示す。駆動部は、モータ１１２、駆動シャフト１１１、および駆動ハブ１１０を備える。駆動ハブ１１０の外側輪郭は、結合手段２４０の内側輪郭と共に摩擦的に動作し、その結果として、結合手段２４０は、適切な接続によって個別化装置自体と相互作用する。代替の実施形態では、結合手段２４０は、個別化装置２３０の一体の構成要素とすることができる。
【００５１】
図５および図６では、分配位置にある個別化装置２３０が示されている。１つの通路が、底面２２０の分配開口部２２１と位置合わせされ、通路内に配置された薬物部分は、分配開口部２２１を通ってシュート１４０内に落下し、そこからブリスター包装機の内部に移動する。
【００５２】
分配開口部２２１と位置合わせされた通路の上方では、保持要素２１５の保持部２１６が、環状室内に与えられており、それ以上の薬物部分が確実に収容室から滑り落ちないようにしている。
【００５３】
図７は、本発明による貯蔵・分配ステーションの第２の実施形態における個別化装置２３０／駆動部の移行部の分解図を示す。駆動ハブ１１０の外側輪郭が、基部の上部の突出部１２１の開口部内に見られる。これの上方に結合手段２４０が見られ、これの上方に個別化装置２３０が見られる。この実施形態では、結合手段２４０も、個別化装置２３０に対して別個の構成要素として設計されている。
【００５４】
図８は、特に個別化装置と駆動部との結合を示すために貯蔵容器の大部分が省略されている、第２の実施形態の断面図を示す。
【００５５】
ケーブル１１３によって接触手段１２４に接続されている電気モータ１１２は、基部１００の中央に配置されている。この場合、数ある中でも、接触手段は、電気モータ１１２に電力を供給するように機能する。さらに、基部内部のまたは貯蔵容器の他の構成要素を、接触手段を介して制御装置（図示せず）に接続することができる。例えば、薬物部分が分配動作で実際に分配されたかどうかを判定するセンサ（図示せず）を、シュート１４０または貯蔵容器の底部にある分配開口部に関連付けることができる。
【００５６】
電気モータ１１２は、駆動ハブ１１０で終わっている駆動シャフト１１１を備える。駆動ハブ１１０は、結合手段２４０の内側輪郭２４１と取り外し可能に連動して動作する外側輪郭（図７参照）を有する。結合手段２４０は、（取り外し可能に）個別化装置に接続されている。
【００５７】
駆動ハブ１１０と個別化装置の結合手段２４０との接続のタイプは、さらなる作業工程なしに貯蔵容器を基部から容易に取り外すことができるようにするものである。図示の実施形態では、結合手段は、個別化装置２３０に対して別個に設計されているが、取り外し時に結合手段２４０と個別化装置との接続はそのままである。
【００５８】
本発明によれば、導体装置であって、これによって個別化装置２３０の導電性の外面２３１が接触手段に導電的に結合される導体装置が設けられることが実現される。第２の実施形態では、結合手段２４０、駆動ハブ１１０、駆動シャフト１１１、および電気モータ１１２が、導体装置の構成要素を構成する。
【００５９】
結合手段２４０は、導電性であり、個別化装置２３０の導電性の外面２３１に導電的に接続される。これは、例えば、完全に導電性材料（例えば、導電性プラスチック）からなる個別化装置を使用することによって達成することができる。あるいは、外面から結合手段までケーブルを設けることができる。駆動ハブおよび駆動シャフトも同様に導電性であり、正確な設計に関して上記の説明が当てはまる。
【００６０】
分離または個別化中に発生する静電荷を、個別化装置の外面を介して結合手段に散逸させ、そこから駆動ハブおよび駆動シャフトに散逸させることができる。電荷を、モータおよびケーブル１１３を介して駆動シャフトから接触手段１２４に散逸させることができ、接触手段１２４によって電荷を、最終的にブリスター包装機に散逸させる、または散逸させることができる。
【００６１】
この実施形態では、電荷を散逸させるために追加の構成要素は必要とされず、既存の構成要素の設計により、電位差の増加が回避され、薬物粉塵および他の微細な汚染物の付着が防止される。薬物部分と接触する、貯蔵容器の個別化装置および／または他の構成要素（ハウジングの円筒部２１１、ハウジング２１０自体）は、ブリスター包装機を介して効果的に接地される。
【図１ａ】
2020507363.tif 000003
【図１ｂ】
2020507363.tif 000004
【図２】
2020507363.tif 000005
【図３】
2020507363.tif 000006
【図４】
2020507363.tif 000007
【図５】
2020507363.tif 000008
【図６】
2020507363.tif 000009
【図７】
2020507363.tif 000010
【図８】
2020507363.tif 000011
【国際調査報告】
2020507363.tif 000012
2020507363.tif 000013
2020507363.tif 000014
2020507363.tif 000015